(57)【要約】【課題】画像投写中に保存したメモ画像の消去し忘れを防止することが可能なプロジェクターを提供する。【解決手段】プロジェクター１は、外部機器から画像信号を入力する信号入力部としての画像信号入力部２と、入力操作を受け付ける入力操作部２３と、所定の入力操作により画像信号入力部２に入力された画像データを保存する記憶部２１と、当該プロジェクター１の動作を制御する制御部２０と、を備え、制御部２０は、記憶部２１に保存された画像データを画像投写部１０に投写させ、記憶部２１に画像データを保存してから第１の時間が経過した場合に画像データを消去する。【選択図】図１
2012154986.tif 000002
【特許請求の範囲】
【請求項１】
光源から射出された光を画像情報に応じて画像光に変調して投写する画像投写部を有するプロジェクターであって、
外部機器から画像信号を入力する信号入力部と、
入力操作を受け付ける入力操作部と、
所定の入力操作により、前記信号入力部に入力された画像データを保存する記憶部と、
当該プロジェクターの動作を制御する制御部と、
を備え、
前記制御部は、前記記憶部に保存された前記画像データを前記画像投写部に投写させ、
前記記憶部に前記画像データを保存してから、第１の時間または第２の時間が経過した場合に、前記画像データを消去することを特徴とする、プロジェクター。
【請求項２】
請求項１に記載のプロジェクターであって、
前記制御部は、当該プロジェクターの起動時に前記記憶部に前記画像データが保存されている場合、画像が保存されている旨の通知メッセージを前記画像投写部に投写させることを特徴とする、プロジェクター。
【請求項３】
請求項１に記載のプロジェクターであって、
前記制御部は、当該プロジェクターの電源オフ操作時に前記記憶部に前記画像データが保存されている場合、保存されている画像を消去するかどうかの確認メッセージを前記画像投写部に投写させた後、前記入力操作部より、前記画像データを消去する操作信号を検出した場合に前記画像データを消去することを特徴とする、プロジェクター。
【請求項４】
光源から射出された光を画像情報に応じて画像光に変調して投写する画像投写部と、
外部機器から画像信号を入力する信号入力部と、
前記信号入力部に入力された画像データを保存する記憶部と、
を備えたプロジェクターの制御方法であって、
前記信号入力部に入力された画像データを前記記憶部に保存する画像保存ステップと、
前記記憶部に保存された前記画像データを表示する画像表示ステップと、
前記記憶部に前記画像データを保存してから第１の時間が経過するか、前記画像データを前記画像投写部に投写してから第２の時間が経過した場合に、前記画像データを消去する画像消去ステップと、
を有することを特徴とする、プロジェクターの制御方法。
【発明の詳細な説明】
【技術分野】
【０００１】
本発明は、プロジェクターおよびプロジェクターの制御方法に関する。
【背景技術】
【０００２】
従来、プロジェクターにおいて投写中の画像を保存し、所定の操作で読み出し、投写するものが知られている（例えば、特許文献１参照）。
【０００３】
このようなプロジェクターを用いれば、例えばプレゼンテーション中の途中の画面を保存しておき、任意のタイミングで読み出すことで、プレゼンテーションを前に戻すことなく、保存した画像を投写することができる（以下、保存する画面をメモ画像と称する）。
【先行技術文献】
【特許文献】
【０００４】
【特許文献１】特開２００８−１０２２４４号公報
【発明の概要】
【発明が解決しようとする課題】
【０００５】
複数の使用者がプロジェクターを使用する場合、プレゼンテーションなどで投写中の画面を保存し読み出した後、保存した画像を消去しないと、他の使用者に見られてしまう可能性があり、セキュリティー上好ましくなかった。特許文献１では、電源が遮断された場合に保存した画像を消去する方法が記載されているが、これだと、プレゼンテーションの前にあらかじめプロジェクターに画像を保存しておき、電源をオフして準備しておくというような使い方ができないという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を画像情報に応じて画像光に変調して投写する画像投写部を有するプロジェクターであって、外部機器から画像信号を入力する信号入力部と、入力操作を受け付ける入力操作部と、所定の入力操作により、前記信号入力部に入力された画像データを保存する記憶部と、当該プロジェクターの動作を制御する制御部と、を備え、前記制御部は、前記記憶部に保存された前記画像データを前記画像投写部に投写させ、前記記憶部に前記画像データを保存してから第１の時間が経過した場合に、前記画像データを消去することを特徴とする。
【０００８】
本適用例によれば、記憶部に保存した画像データが、保存してから所定時間後に消去される。これにより、ユーザーが保存した画像データを消去し忘れ、他の使用者に見られてしまうのを防止することが可能となる。
【０００９】
［適用例２］本適用例に係るプロジェクターは、光源から射出された光を画像情報に応じて画像光に変調して投写する画像投写部を有するプロジェクターであって、外部機器から画像信号を入力する信号入力部と、入力操作を受け付ける入力操作部と、所定の入力操作により、前記信号入力部に入力された画像データを保存する記憶部と、当該プロジェクターの動作を制御する制御部と、を備え、前記制御部は、前記記憶部に保存された画像データを前記画像投写部に投写させ、前記画像データを前記画像投写部に投写してから、第２の時間が経過した場合に、前記画像データを消去することを特徴とする。
【００１０】
本適用例によれば、記憶部に保存した画像データが、最後に投写してから所定時間後に消去される。これにより、ユーザーが保存した画像データをしばらく投写せずにいた場合、他の使用者に見られてしまうのを防止することが可能となる。
【００１１】
［適用例３］上記適用例に記載のプロジェクターにおいて、前記制御部は、当該プロジェクターの起動時に、前記記憶部に前記画像データが保存されている場合、画像が保存されている旨の通知メッセージを前記画像投写部に投写させることを特徴とする。
【００１２】
本適用例によれば、電源オン時に記憶部に保存されている画像があることを使用前に知ることができる。これにより、プレゼンテーション前に画像を保存しておいたような場合は、画像が保存されていることを確認でき、以前使用した画像が残っていたような場合は確認して消去するなどの操作をユーザーに促すことが可能となる。
【００１３】
［適用例４］上記適用例に記載のプロジェクターにおいて、前記制御部は、当該プロジェクターの電源オフ操作時に、前記記憶部に前記画像データが保存されている場合、保存されている画像を消去するかどうかの確認メッセージを前記画像投写部に投写させた後、前記入力操作部より、前記画像データを消去する操作信号を検出した場合に前記画像データを消去することを特徴とする。
【００１４】
本適用例によれば、電源オフ操作時に、保存した画像があり消去するかどうかをユーザーに選択させる。これにより、例えば、使用済み画像を消去するのを忘れていた場合は消去することを、プレゼンテーションの準備などで画像を保存した場合は画像を残しておくことをユーザーに選択させることが可能となる。
【００１５】
［適用例５］本適用例に係るプロジェクターの制御方法は、光源から射出された光を画像情報に応じて画像光に変調して投写する画像投写部と、外部機器から画像信号を入力する信号入力部と、前記信号入力部に入力された画像データを保存する記憶部と、を備えたプロジェクターの制御方法であって、前記信号入力部に入力された画像データを前記記憶部に保存する画像保存ステップと、前記記憶部に保存された前記画像データを表示する画像表示ステップと、前記記憶部に前記画像データを保存してから第１の時間が経過するか、前記画像データを前記画像投写部に投写してから第２の時間が経過した場合に、前記画像データを消去する画像消去ステップと、を有することを特徴とする。
【００１６】
本適用例によれば、記憶部に保存した画像データは、保存してから、または最後に投写してから所定時間後に消去される。これにより、ユーザーが保存した画像データを消去し忘れ、他の使用者に見られてしまうのを防止することが可能となる。
【図面の簡単な説明】
【００１７】
【図１】プロジェクターの概略回路構成を示すブロック図。
【図２】実施形態１のプロジェクターの動作を示すフローチャート。
【図３】変形例１のプロジェクターの動作を示すフローチャート。
【図４】変形例２のプロジェクターの起動時の動作を示すフローチャート。
【図５】変形例３のプロジェクターの電源オフ時の動作を示すフローチャート。
【図６】メッセージ表示の一例を示し、（ａ）はメモ画像保存時の通知メッセージ、（ｂ）はメモ画像消去時の通知メッセージ、（ｃ）は変形例２の起動時の通知メッセージ（ｄ）は変形例３の電源オフ時の確認メッセージ。
【発明を実施するための形態】
【００１８】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１９】
（第１実施形態）
図１は、本実施形態のプロジェクターの回路構成を示すブロック図である。
図１に示すように、プロジェクター１は、画像投写部１０、制御部２０、記憶部２１、光源制御部２２、入力操作部２３、計時部２４、信号入力部としての画像信号入力部２、画像信号処理部３、ＯＳＤ処理部４等で構成されており、これらは図示しない筐体の内部に収容されている。
【００２０】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２１】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２２】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２３】
上述した実施形態では、光源としてランプを用いて投写するプロジェクター１を例示したが、本発明は光源としてＬＥＤ（Light Emitting Diode）光源やレーザー光源などを用いて投写するプロジェクターにも適用することができる。
なお、上述の実施形態では、画像投写部１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２４】
制御部２０は、ＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。
【００２５】
計時部２４はリアルタイムクロック等で構成される時間計測部であり、バックアップ電源（図示せず）により、電源オフ時でも計時動作を行う。
【００２６】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
本実施形態では、メモ画像２１ａ、メモ画像２１ａを保存した時刻を表す保存時刻２１ｂ、メモ画像２１ａを画像投写部１０に最後に投写させた時刻を表す表示時刻２１ｃが記憶される。
【００２７】
入力操作部２３は、プロジェクター１に対しての、ユーザーからの入力操作を受け付けるものであり、ユーザーが各種指示を行うための複数の操作キーを備えている。複数の操作キーは、プロジェクター１の筐体外面に備えられる本体（操作）キーで構成される。また、遠隔操作により操作キーで入力操作を行うリモートコントローラー（リモコン）を備えてもよい。
入力操作部２３が備える操作キーとしては、電源のオン・オフを交互に切り替えるための電源キーや、複数の画像信号入力部２に入力される画像入力端子を切り替えるための入力切替キー、各種設定を行うための設定メニューを重畳表示させるメニューキー、メニューからユーザーが設定項目を選択するカーソルキー、決定キー、エスケープキー、また、投写中の画像を保存するメモ保存キー、保存したメモ画像を表示するメモ表示キー等がある。
ユーザーが入力操作部２３の各種操作キーを操作すると、入力操作部２３は、ユーザーの操作内容に応じた操作信号を制御部２０に出力する。
【００２８】
画像信号入力部２は、複数の画像入力端子を備えており、各画像入力端子より、ビデオ再生装置やパーソナルコンピューター等、外部の画像出力装置から、図示しないケーブルを介して画像情報が入力される。
【００２９】
画像信号処理部３は、画像信号入力部２から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３０】
ＯＳＤ処理部４は、制御部２０の指示に基づいて、投写画像上に、メニュー画像やメッセージ画像等のＯＳＤ（オンスクリーンディスプレイ）画像を重畳して表示するための処理を行う。ＯＳＤ処理部４は、図示しないＯＳＤメモリーを備えており、ＯＳＤ画像を形成するための図形やフォント等を表すＯＳＤ画像情報を記憶している。
制御部２０が、ＯＳＤ画像の重畳表示を指示すると、ＯＳＤ処理部４は、必要なＯＳＤ画像情報をＯＳＤメモリーから読み出し、投写画像上の所定の位置にＯＳＤ画像が重畳されるように、画像信号処理部３から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部４は、画像信号処理部３から入力される画像情報を、そのまま液晶駆動部１４に出力する。
【００３１】
液晶駆動部１４は本実施形態における画像形成部であり、ＯＳＤ処理部４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３２】
光源制御部２２は、制御部２０の指示に基づいて、光源１１に対する電力の供給と停止とを制御し、光源１１の点灯及び消灯を切り替える。
【００３３】
次に、本実施形態のプロジェクター１の動作を図２のフローチャートを用いて説明する。
図２に示すように、まず、プロジェクター１が画像を投写中に、投写中の画像の保存操作を検出したか否かを調べる（ステップＳ１０１）。
保存操作を検出した場合（ステップＳ１０１：Ｙ）、制御部２０は記憶部２１に、現在の画像投写部１０に投写中の画像データをメモ画像２１ａとして、計時部２４の時刻を保存時刻２１ｂとしてそれぞれ保存し（ステップＳ１０２）、ステップＳ１０１に移行する。
このとき、メッセージの一例として図６（ａ）に示すメッセージを所定時間（例えば１秒）表示する。一方、画像保存操作を検出していない場合（ステップＳ１０１：Ｎ）、ステップＳ１０３に移行する。
【００３４】
ステップＳ１０３において制御部２０は、保存したメモ画像２１ａ（保存画像）の表示操作を検出したか否かを調べる。メモ画像２１ａの表示操作を検出した場合（ステップＳ１０３：Ｙ）、制御部２０は、メモ画像２１ａを画像投写部１０に投写させ（ステップＳ１０４）、ステップＳ１０１に移行する。一方、メモ画像２１ａ表示操作を検出していない場合（ステップＳ１０３：Ｎ）、ステップＳ１０５に移行する。
【００３５】
ステップＳ１０５において制御部２０は、保存したメモ画像２１ａ（保存画像）の消去操作を検出したか否かを調べる。メモ画像２１ａの消去操作を検出した場合（ステップＳ１０５：Ｙ）、制御部２０は、メモ画像２１ａ（保存画像）を消去し（ステップＳ１０７）、ステップＳ１０１に移行する。一方、メモ画像２１ａの消去操作を検出していない場合（ステップＳ１０５：Ｎ）、ステップＳ１０６に移行する。
【００３６】
ステップＳ１０６において制御部２０は、メモ画像２１ａ（保存画像）を保存してから第１の時間（例えば８時間）を経過しているか、即ち、計時部２４の現在時刻と、保存時刻２１ｂとの差が第１の時間を越えているか否かを調べる。
メモ画像２１ａを保存してから第１の時間が経過している場合（ステップＳ１０６：Ｙ）、制御部２０は、メモ画像２１ａ（保存画像）を消去し（ステップＳ１０７）、ステップＳ１０１に移行する。一方、メモ画像２１ａを保存してから第１の時間が経過していない場合（ステップＳ１０６：Ｎ）、ステップＳ１０１に移行し、以下、上述した処理を繰り返す。
なお、メモ画像２１ａ（保存画像）消去時に、メッセージの一例として図６（ｂ）に示すメッセージを所定時間（例えば１秒）表示する。
【００３７】
以上説明したように、本実施形態のプロジェクター１によれば、記憶部２１に保存したメモ画像２１ａが、保存してから、所定時間後に消去される。これにより、ユーザーが保存したメモ画像２１ａを消去し忘れ、他の使用者に見られてしまうのを防止することが可能となる。また、電源オフ時にも計時する計時部２４により、使用中にプロジェクター１の電源を一時的にオフしても、所定の時間を経過しない限り、保存したメモ画像２１ａを保持することが可能となる。
【００３８】
また、上記実施形態は、以下のように変更してもよい。
（変形例１）
上記実施形態では、メモ画像２１ａを保存してから所定時間経過した場合に消去するようにしているが、メモ画像２１ａを最後に投写してから所定時間経過した場合に消去するようにしてもよい。
【００３９】
本変形例のプロジェクター１の動作を図３のフローチャートを用いて説明する。
図３に示すように、プロジェクター１が画像を投写中に、投写中の画像の保存操作を検出したか否かを調べる（ステップＳ２０１）。
保存操作を検出した場合（ステップＳ２０１：Ｙ）、制御部２０は記憶部２１に、現在の画像投写部１０に投写中の画像データをメモ画像２１ａとして、計時部２４の時刻を表示時刻２１ｃとしてそれぞれ保存し（ステップＳ２０２）、ステップＳ２０１に移行する。このとき、メッセージの一例として図６（ａ）に示すメッセージを所定時間（例えば１秒）表示する。一方、画像の保存操作を検出していない場合（ステップＳ２０１：Ｎ）、ステップＳ２０３に移行する。
【００４０】
ステップＳ２０３において制御部２０は、保存したメモ画像２１ａ（保存画像）の表示操作を検出したか否かを調べる。
メモ画像２１ａの表示操作を検出した場合（ステップＳ２０３：Ｙ）、制御部２０は、メモ画像２１ａ（保存画像）を画像投写部１０に投写させるとともに、計時部２４の現在時刻を表示時刻２１ｃに更新して保存し（ステップＳ２０４）、ステップＳ２０１に移行する。つまり、メモ画像２１ａを最後に表示した時刻が表示時刻２１ｃに保存される。
一方、メモ画像２１ａの表示操作を検出していない場合（ステップＳ２０３：Ｎ）、ステップＳ２０５に移行する。
【００４１】
ステップＳ２０５において制御部２０は、保存したメモ画像２１ａ（保存画像）の消去操作を検出したか否かを調べる。メモ画像２１ａの消去操作を検出した場合（ステップＳ２０５：Ｙ）、制御部２０は、メモ画像２１ａ（保存画像）を消去し（ステップＳ２０７）、ステップＳ２０１に移行する。一方、メモ画像２１ａの消去操作を検出していない場合（ステップＳ２０５：Ｎ）、ステップＳ２０６に移行する。
【００４２】
ステップＳ２０６において制御部２０は、メモ画像２１ａを最後に投写してから第２の時間（例えば３時間）が経過しているか、即ち、計時部２４の現在時刻と、表示時刻２１ｃとの差が第２の時間を越えているか否かを調べる。
メモ画像２１ａを最後に投写してから第２の時間が経過している場合（ステップＳ２０６：Ｙ）、制御部２０は、メモ画像２１ａ（保存画像）を消去し（ステップＳ２０７）、ステップＳ２０１に移行する。
一方、メモ画像２１ａを最後に投写してから第２の時間が経過していない場合（ステップＳ２０６：Ｎ）、ステップＳ２０１に移行し、以下、上述した処理を繰り返す。なお、メモ画像２１ａ消去時に、メッセージの一例として図６（ｂ）に示すメッセージを所定時間（例えば１秒）表示する。
【００４３】
以上説明したように、本実施形態のプロジェクター１によれば、記憶部２１に保存したメモ画像２１ａが、最後に投写してから所定時間後に消去される。これにより、ユーザーが保存したメモ画像２１ａをしばらく投写せずにいた場合、他の使用者に見られてしまうのを防止することが可能となる。また、電源オフ時にも計時する計時部２４により、使用中にプロジェクター１の電源を一時的にオフしても、所定の時間が経過しない限り、保存したメモ画像２１ａを保持することが可能となる。
【００４４】
（変形例２）
上記実施形態および変形例において、電源オン時に、メモ画像２１ａが保存されている場合に通知メッセージを表示し、メモ画像２１ａが保存されていることをユーザーに通知するようにしてもよい。
【００４５】
本変形例のプロジェクター１の電源オン時の動作を図４のフローチャートを用いて説明する。
図４に示すように、まずプロジェクター１が、入力操作部２３からの電源オン操作信号等により起動すると（ステップＳ３０１）、制御部２０は記憶部２１にメモ画像２１ａ（保存画像）が保存されているか否かを調べる（ステップＳ３０２）。メモ画像２１ａが保存されている場合（ステップＳ３０２：Ｙ）、画像投写部１０に通知メッセージを所定時間（例えば１秒）表示する（ステップＳ３０３）。このときの通知メッセージの一例を図６（ｃ）に示す。その後、投写開始へと移行する。
一方、メモ画像２１ａが保存されていない場合（ステップＳ３０２：Ｎ）、投写開始へと移行する。
【００４６】
次に、制御部２０は入力された画像信号に基づいた画像光の投写を開始する。なお、投写中の動作は図２または図３と同じなので説明は省略する。
【００４７】
以上、説明したように、本変形例のプロジェクター１によれば、電源オン時にメモ画像２１ａが保存されていることを使用前に知ることができる。これにより、プレゼンテーション前にメモ画像２１ａを保存しておいた場合は、メモ画像２１ａが保存されていることを確認できる。また、以前に使用したメモ画像２１ａが記憶部２１に残っていた場合は確認して消去するなどの操作をユーザーに促すことが可能となる。
【００４８】
（変形例３）
上記実施形態および変形例において、電源オフ操作時に、メモ画像２１ａが保存されている場合、保存されているメモ画像２１ａを消去するかどうかの確認メッセージを投写し、消去するかどうかユーザーに選択させるようにしてもよい。
【００４９】
本変形例のプロジェクター１の動作を図５のフローチャートを用いて説明する。
なお、投写中の動作は図２または図３と同じなので説明は省略する。
図５に示すように、プロジェクター１が投写中に、制御部２０が電源オフ操作を検出すると（ステップＳ４０１）、制御部２０はメモ画像２１ａ（保存画像）が保存されているか否かを調べる（ステップＳ４０２）。メモ画像２１ａが保存されている場合（ステップＳ４０２：Ｙ）、ステップＳ４０３に移行する。一方、メモ画像２１ａが保存されていない場合（ステップ４０２：Ｎ）、ステップＳ４０６に移行する。
【００５０】
ステップＳ４０３において、制御部２０はメモ画像２１ａを消去するか否かの確認メッセージを画像投写部１０に投写させる。このときの確認メッセージの一例を図６（ｄ）に示す。
【００５１】
次に制御部２０は、ステップＳ４０４において、メモ画像２１ａを消去するか否かの確認メッセージに対する応答を調べる。消去する操作がされた場合（ステップＳ４０４：Ｙ）、制御部２０はメモ画像２１ａ（保存画像）を消去する（ステップＳ４０５）。消去しない操作がされた場合（ステップＳ４０４：Ｎ）、ステップＳ４０６に移行する。
【００５２】
ステップＳ４０６において制御部２０は、プロジェクター１の電源オフ処理を行い、本フローを終了する。
【００５３】
以上説明したように、本変形例のプロジェクター１によれば、電源オフ操作時に、保存したメモ画像２１ａがあり、消去するかどうかをユーザーに選択させる。これにより、例えば、使用済みメモ画像２１ａを消去するのを忘れていた場合は消去することを、プレゼンテーションの準備などで画像を保存した場合はメモ画像２１ａを残しておくことをユーザーに選択させることが可能となる。
【符号の説明】
【００５４】
１…プロジェクター、２…画像信号入力部、３…画像信号処理部、４…ＯＳＤ処理部、１０…画像投写部、１１…光源、１２Ｒ，１２Ｇ，１２Ｂ…液晶ライトバルブ、１３…投写レンズ、１４…液晶駆動部、２０…制御部、２１…記憶部、２２…光源制御部、２３…入力操作部、２４…計時部。
【図１】
2012154986.tif 000003
【図２】
2012154986.tif 000004
【図３】
2012154986.tif 000005
【図４】
2012154986.tif 000006
【図５】
2012154986.tif 000007
【図６】
2012154986.tif 000008